(57)【特許請求の範囲】
【請求項１】
印刷用ロール紙の残量および印刷用ロール紙の紙種を印刷用紙に関連する情報として書き換え可能に記憶する記憶装置を備える印刷用ロール紙用の印刷装置であって、
前記記憶装置に記憶されている前記印刷用ロール紙の残量および前記印刷用ロール紙の紙種の情報を取得する取得部と、
前記取得された印刷用ロール紙の残量の情報に基づき紙送り量を設定する設定部であって、残量が多くなるに連れて紙送り量が増大するように紙送り量を設定する設定部と、
前記取得された印刷用ロール紙の紙種の情報に基づき、前記印刷用ロール紙の紙種が滑りやすい紙種の場合には、前記設定された紙送り量を更に増大させた修正紙送り量を設定する紙送り量修正部と、
前記設定された紙送り量または修正紙送り量のいずれかに従い前記印刷用ロール紙の紙送り量を制御する紙送り量制御部とを備える印刷装置。
【請求項２】
請求項１に記載の印刷装置はさらに、
印刷処理すべき印刷データ量と前記記憶装置に記憶されている前記印刷用ロール紙の残量とに基づいて、記憶されている前記印刷用ロール紙残量では前記印刷処理すべき印刷データ量の印刷処理を完了できないと判定した場合には、印刷処理を中断し、その旨報知する報知手段を備える印刷装置。
【請求項３】
請求項１または請求項２に記載の印刷装置において、
前記印刷装置は、さらに、前記印刷用ロール紙に関連する情報の書き込み、および、読み出しを、前記記憶装置に対して非接触方式にて実行する情報入出力装置を備える印刷装置。
【請求項４】
請求項１または請求項２に記載の印刷装置において、
前記印刷装置は、さらに、前記印刷用ロール紙に関連する情報の書き込み、および、読み出しを、前記記憶装置に対して接触方式にて実行する情報入出力装置を備える印刷装置。
【請求項５】
印刷用ロール紙の残量および印刷用ロール紙の紙種を用紙関連情報として書き換え可能に記憶する記憶装置を備えるロール紙部材に対して印刷を実行する印刷装置であって、
前記ロール紙部材を回動自在に保持する保持器と、
前記記憶装置に対して任意のタイミングにて信号を送受信できるよう前記保持器に配置されている印刷装置側アンテナと、
前記印刷装置側アンテナを介して前記記憶装置に対して前記用紙関連情報の読み取り、および、書き込みを実行する情報読み書き器と、
前記記憶装置に記憶されている前記印刷用ロール紙の残量および前記印刷用ロール紙の紙種の情報を取得する取得部と、
前記取得された印刷用ロール紙の残量の情報に基づき紙送り量を設定する設定部であって、残量が多くなるに連れて紙送り量が増大するように紙送り量を設定する設定部と、
前記取得された印刷用ロール紙の紙種の情報に基づき、前記印刷用ロール紙の紙種が滑りやすい紙種の場合には、前記設定された紙送り量を更に増大させた修正紙送り量を設定する紙送り量修正部と、
前記設定された紙送り量または修正紙送り量のいずれかに従い前記印刷用ロール紙の紙送り量を制御する紙送り量制御部とを
備える印刷装置。
【請求項６】
請求項５に記載の印刷装置において、
前記ロール紙部材は少なくともその両端に中空部を有し、
前記保持器は
前記ロール紙部材の中空部に装着される装着端と外周形状が円形である支持端とを有すると共に前記ロール紙部材と一緒に回転する回転体と、
前記回転体の支持端の外周に沿って配置されていると共に前記記憶装置と接続されているロール紙側アンテナと、
前記回転体の前記支持端を回動自在に支持すると共に内周形状が円形である支持体とを備え、
前記印刷装置側アンテナは前記支持体のほぼ全周にわたって周方向に沿って配置されている印刷装置。
【請求項７】
請求項５に記載の印刷装置において、
前記ロール紙部材は少なくともその両端に中空部を有し、
前記保持器は
前記ロール紙部材の中空部に装着される装着端と内周形状が円形である支持端とを有すると共に前記ロール紙部材と一緒に回転する回転体と、
前記回転体の支持端の内周に沿って配置されていると共に前記記憶装置と接続されているロール紙側アンテナと、
前記回転体の前記支持端を回動自在に支持すると共に外周形状が円形である支持体とを備え、
前記印刷装置側アンテナは前記支持体のほぼ全周にわたって周方向に沿って配置されている印刷装置。
【請求項８】
請求項５に記載の印刷装置において、
前記ロール紙部材は、少なくともその両端に内周面が円形をなし、前記記憶装置と接続されていると共に無線信号を送受信するロール紙側アンテナがその周方向に配置されている中空部を有し、
前記保持器は前記ロール紙部材の中空部を回動自在に支持すると共に円筒形状の支持部を有し、
前記印刷装置側アンテナは前記支持部の内周面または外周面のほぼ全周にわたって周方向に沿って配置されている印刷装置。
【請求項９】
請求項５に記載の印刷装置において、
前記ロール紙部材は少なくともその両端に中空部を有し、
前記保持器は
前記ロール紙部材の中空部に装着されると共に前記ロール紙部材と一緒に回転する回転体と、
前記回転体を回動自在に支持する支持体と
前記回転体において、前記支持体と対向する位置に配置されていると共に前記記憶装置と接続されているロール紙側アンテナとを備え、
前記印刷装置側アンテナは前記ロール紙側アンテナよりも広い面積を有すると共に前記支持体と対向して配置されている印刷装置。
【請求項１０】
印刷用ロール紙に関連する用紙関連情報を書き換え可能に記憶する記憶装置を備えるロール紙部材を用いた印刷方法であって、
前記記憶装置に記憶されている印刷用ロール紙の残量および印刷用ロール紙の紙種を用紙関連情報として読み取り、
前記読み取った印刷用ロール紙の残量の情報に基づき、残量が多くなるに連れて紙送り量が増大するように紙送り量を設定し、
前記取得された印刷用ロール紙の紙種の情報に基づき、前記印刷用ロール紙の紙種が滑りやすい紙種の場合には、前記設定された紙送り量を更に増大させた修正紙送り量を設定し、
前記設定された紙送り量または修正紙送り量のいずれかに従い前記印刷用ロール紙の紙送り量を制御して印刷処理を実行する印刷方法。
【請求項１１】
印刷用ロール紙の残量および印刷用ロール紙の紙種を印刷用ロール紙に関連する用紙関連情報として書き換え可能に記憶する記憶装置を備えるロール紙部材を用いた印刷制御プログラムを記録するコンピュータが読み取り可能な記録媒体であって、前記印刷制御プログラムは、
前記記憶装置に記憶されている印刷用ロール紙の残量および印刷用ロール紙の紙種を用紙関連情報として読み取る機能と、
前記読み取った印刷用ロール紙の残量の情報に基づき、残量が多くなるに連れて紙送り量が増大するように紙送り量を設定する機能と、
前記取得された印刷用ロール紙の紙種の情報に基づき、前記印刷用ロール紙の紙種が滑りやすい紙種の場合には、前記設定された紙送り量を更に増大させた修正紙送り量を設定する機能と、
前記設定された紙送り量または修正紙送り量のいずれかに従い前記印刷用ロール紙の紙送り量を制御して印刷処理を実行する機能とをコンピュータに実行させる、コンピュータが読み取り可能な記録媒体。
【発明の詳細な説明】
技術分野
本発明は、ロール状の印刷用紙、ロール状の印刷用紙に対して印刷処理を実行する印刷装置に関する。
背景技術
印刷装置に対する印刷用用紙の主な供給形態として、予め所定の大きさに裁断されているカット紙を用いた供給形態、芯材の外周に印刷用用紙が巻き付けられているロール紙を用いた供給形態がある。一般的に、ロール紙を用いた供給形態は、Ａ列１番用紙といった大きな収容スペースを必要とする比較的大型の用紙に対して適用され、カット紙を用いた供給形態は、Ａ列４番用紙といった比較的小型の用紙に対して適用される。
一見して用紙残量が判るカット紙とは異なり、印刷用紙が連続して供給されるロール紙では、用紙残量の判断が難しく、ロール紙の用紙残量を正確に管理できない場合には、ページ単位の印刷処理を完了する前にロール紙の用紙切れが発生し、印刷を完了できないという問題がある。ロール紙の残量を管理する技術として、例えば、ロール紙毎のロール紙残量をプリンタとは別体のロール紙管理システムに備えられているメモリに格納する技術が特開平１０−２５０４６号公報に開示されている。
しかしながら、プリンタ本体、パーソナルコンピュータといった装置側にロール紙残量を記憶させる場合には、ロール紙残量を記憶している装置を用いなければロール紙残量を管理することができないという問題がある。また、複数のロール紙に対応するロール紙残量を記憶したり、紙種・サイズなどといった記憶すべき項目が増加すると、要求されるメモリ容量も増加するが、プリンタ本体に容量の大きなメモリを備える場合にはコストがかさむという問題がある。
さらに、ロール紙残量の情報が、単にロール紙の残量を管理するためだけに用いられており、ロール紙残量の情報が有効に活用されていないという問題があった。
発明の開示
本発明は、上記課題を解決するためになされたものであり、装置に依存することなく印刷用ロール紙の残量情報を含む用紙関連情報を保持または検出することを目的とする。また、保持されている用紙関連情報または検出された用紙関連情報を利用して印刷処理を実行することを目的とする。
上記課題を解決するために本発明の第１の態様は、印刷用紙に関連する情報を書き換え可能に記憶する記憶装置を備える印刷用ロール紙用の印刷装置を提供する。本発明の第１の態様に係る印刷装置は、前記記憶装置に記憶されている印刷用紙に関連する情報を用いて、前記印刷用ロール紙の紙送り量を制御する印刷制御装置を備えることを特徴とする。
本発明の第１の態様に係る印刷装置によれば、印刷用ロール紙の記憶装置に記憶されている印刷用紙に関連する情報を用いて紙送り量制御を実行することができるので、紙送り量制御をより適切に実行することができる。
本発明の第１の態様に係る印刷装置において、前記記憶装置には、少なくとも印刷用ロール紙の残量および印刷用ロール紙の紙種の一方が前記印刷用紙に関連する情報として記憶されており、前記印刷制御装置は、前記記憶装置に記憶されている前記印刷用ロール紙の残量および前記印刷用ロール紙の紙種の少なくともいずれか一方に応じて、前記印刷用ロール紙の紙送り量を制御しても良い。
本発明の第１の態様に係る印刷装置によれば、紙送り量制御に関係する印刷用ロール紙の残量および紙種の少なくともいずれか一方に応じて紙送り量制御を実行するので、個々の印刷用ロール紙の状態に応じた紙送り量制御を実行することができる。
本発明の第１の態様に係る印刷装置において、前記記憶装置には、少なくとも印刷用ロール紙の残量が前記印刷用紙に関連する情報として記憶されており、前記印刷制御装置は、印刷処理すべき印刷データ量と前記記憶装置に記憶されている前記印刷用ロール紙の残量とに基づいて、記憶されている前記印刷用ロール紙残量では前記印刷処理すべき印刷データ量の印刷処理を完了できないと判定した場合には、印刷処理を中断し、その旨報知しても良い。かかる場合には、印刷の途中で用紙切れによって印刷を中断しなければならない事態を回避することができる。用紙残量が把握し難いロール紙においては、特に有用である。
本発明の第１の態様に係る印刷装置において、前記印刷装置は、さらに、前記印刷用ロール紙に関連する情報の書き込み、および、読み出しを、前記記憶装置に対して非接触方式にて実行する情報入出力装置を備えても良い。かかる場合には、任意のタイミングにて印刷用ロール紙に関連する情報の書き込み、および、読み出しを実行することができる。
本発明の第１の態様に係る印刷装置において、前記印刷装置は、さらに、前記印刷用ロール紙に関連する情報の書き込み、および、読み出しを、前記記憶装置に対して接触方式にて実行する情報入出力装置を備えても良い。かかる場合には、より確実に印刷用ロール紙に関連する情報の書き込み、および、読み出しを実行することができる。
本発明の第２の態様は、印刷用ロール紙に関連する用紙関連情報を書き換え可能に記憶する記憶装置を備えるロール紙部材に対して印刷を実行する印刷装置を提供する。本発明の第２の態様に係る印刷装置は、前記ロール紙部材を回動自在に保持する保持器と、前記記憶装置に対して任意のタイミングにて信号を送受信できるよう前記保持器に配置されている印刷装置側アンテナと、前記印刷装置側アンテナを介して前記記憶装置に対して前記用紙関連情報の読み取り、および、書き込みを実行する情報読み書き器と、前記読み取られた用紙関連情報を用いて印刷処理を実行する印刷制御器とを備えることを特徴とする。
本発明の第２の態様に係る印刷装置によれば、任意のタイミングにてロール紙部材の記憶装置との間で信号の送受信を実行することができると共に、ロール紙部材の記憶装置に記憶されている用紙関連情報を用いて印刷処理を実行することができるので、印刷処理をより適切に実行することができる。
本発明の第２の態様に係る印刷装置において、前記ロール紙部材は少なくともその両端に中空部を有し、
前記保持器は、前記ロール紙部材の中空部に装着される装着端と外周形状が円形である支持端とを有すると共に前記ロール紙部材と一緒に回転する回転体と、前記回転体の支持端の外周に沿って配置されていると共に前記記憶装置と接続されているロール紙側アンテナと、前記回転体の前記支持端を回動自在に支持すると共に内周形状が円形である支持体とを備え、
前記印刷装置側アンテナは前記支持体のほぼ全周にわたって周方向に沿って配置されていても良い。
本発明の第２の態様に係る印刷装置によれば、ロール紙部材が回転体と支持体とによって保持されるので、ロール紙部材の形状に依存することなく、ロール紙部材を保持することができる。また、回転体にはロール紙部材の記憶装置と接続されているロール紙側アンテナが備えられ、支持体には印刷装置側アンテナがその内周面のほぼ全周にわたって周方向に沿って配置されているので、ロール紙部材の記憶装置の動作に必要な電力を常に得ることができ、任意のタイミングにて信号の送受信を実行することができる。
本発明の第２の態様に係る印刷装置において、前記ロール紙部材は少なくともその両端に中空部を有し、
前記保持器は、前記ロール紙部材の中空部に装着される装着端と内周形状が円形である支持端とを有すると共に前記ロール紙部材と一緒に回転する回転体と、前記回転体の支持端の内周に沿って配置されていると共に前記記憶装置と接続されているロール紙側アンテナと、前記回転体の前記支持端を回動自在に支持すると共に外周形状が円形である支持体とを備え、
前記印刷装置側アンテナは前記支持体のほぼ全周にわたって周方向に沿って配置されていても良い。
本発明の第２の態様に係る印刷装置によれば、ロール紙部材が回転体と支持体とによって保持されるので、ロール紙部材の形状に依存することなく、ロール紙部材を保持することができる。また、回転体にはロール紙部材の記憶装置と接続されているロール紙側アンテナが備えられ、支持体には印刷装置側アンテナがその外周面のほぼ全周にわたって周方向に沿って配置されているので、ロール紙部材の記憶装置の動作に必要な電力を常に得ることができ、任意のタイミングにて信号の送受信を実行することができる。
本発明の第２の態様に係る印刷装置において、前記ロール紙部材は、少なくともその両端に内周面が円形をなし、前記記憶装置と接続されていると共に無線信号を送受信するロール紙側アンテナがその周方向に配置されている中空部を有し、前記保持器は前記ロール紙部材の中空部を回動自在に支持すると共に円筒形状の支持部を有し、前記印刷装置側アンテナは前記支持部の内周面または外周面のほぼ全周にわたって周方向に沿って配置されていても良い。
本発明の第２の態様に係る印刷装置によれば、ロール紙部材の中空部には記憶装置と接続されているロール紙側アンテナが備えられ、保持器には印刷装置側アンテナがその内周面または外周面のほぼ全周にわたって周方向に沿って配置されているので、ロール紙部材の記憶装置の動作に必要な電力を常に得ることができ、任意のタイミングにて信号の送受信を実行することができる。
本発明の第２の態様に係る印刷装置において、前記ロール紙部材は少なくともその両端に中空部を有し、前記保持器は、前記ロール紙部材の中空部に装着されると共に前記ロール紙部材と一緒に回転する回転体と、前記回転体を回動自在に支持する支持体と、前記回転体において、前記支持体と対向する位置に配置されていると共に前記記憶装置と接続されているロール紙側アンテナとを備え、前記印刷装置側アンテナは前記ロール紙側アンテナよりも広い面積を有すると共に前記支持体と対向して配置されていても良い。
本発明の第２の態様に係る印刷装置によれば、ロール紙部材と共に回転する回転体において、支持体と対向する位置にはロール紙側アンテナが備えられ、保持器には前記ロール紙側アンテナよりも広い面積を有すると共に支持体と対向して印刷装置側アンテナが配置されているので、ロール紙部材の記憶装置の動作に必要な電力を常に得ることができ、任意のタイミングにて信号の送受信を実行することができる。
本発明の第３の態様は、ロール紙部材を提供する。本発明の第３の態様に係ロール紙部材は、印刷用ロール紙と、前記印刷用ロール紙に関連する用紙関連情報を書き換え可能に記憶する記憶装置と、前記記憶装置に接続されていると共に信号を送受信する送受信装置を備えることを特徴とする。
本発明の第３の態様に係るロール紙部材によれば、用紙関連情報を書き換え可能に記憶する記憶装置を備えるので、用いられる装置に依存することなく、ロール紙部材を用紙関連情報と関連付けた状態で利用することができる。
本発明の第３の態様に係るロール紙部材において、前記送受信装置は無線信号を送受信するアンテナを備えても良い。かかる場合には、用紙関連情報を非接触方式にて印刷装置との間で送受信することができると共に、アンテナを配置するにあたり遮蔽物を考慮する必要がないので、送受信装置の配置の自由度を増すことができる。
本発明の第３の態様に係るロール紙部材はさらに、前記印刷用ロール紙がその外周に巻き付けられている芯材を備え、前記アンテナは、前記芯材の周方向に沿って配置されていても良く、あるいは、前記印刷用ロール紙がその外周に巻き付けられている中空部を有する芯材を備え、前記アンテナは、前記芯材の外周面または内周面の周方向に沿って配置されていても良い。かかる場合には、任意のタイミングにて用紙関連情報の送受信ができると共に、アンテナを介して送受信回路の動作に十分な電力を生成することができる。
本発明の第３の態様に係るロール紙部材はさらに、前記印刷用ロール紙がその外周に巻き付けられていると共に前記印刷用ロール紙の端面を覆うフランジ部を有する芯材を備え、前記アンテナは、前記芯材のフランジ部に配置されていても良い。かかる場合には、任意のタイミングにて用紙関連情報の送受信ができる。
本発明の第３の態様に係るロール紙部材はさらに、前記印刷用ロール紙を内包する収容体を備え、前記記憶装置は、前記収容体に備えられているロール紙部材。かかる場合には、収容体に収容されて用いられるロール紙部材についても、既述の作用効果を得ることができる。
本発明の第３の態様に係るロール紙部材において、前記用紙関連情報は、前記印刷用ロール紙残量、前記印刷用ロール紙の製造年月日、前記印刷用ロール紙の紙種、前記印刷用ロール紙の製造ロット情報のうち少なくともいずれか１つの情報を含んでも良い。
本発明の第４の態様は、印刷用ロール紙に関連する用紙関連情報を書き換え可能に記憶する記憶装置を備えるロール紙部材を用いた印刷方法を提供する。本発明の第４の態様に係る印刷方法は、前記記憶装置に記憶されている用紙関連情報を読み取り、前記読み取った用紙関連情報を利用し、前記印刷用ロール紙の紙送り量を制御して印刷処理を実行することを特徴とする。
本発明の第４の態様に係る印刷方法によれば、本発明の第１の態様に係る印刷装置と同様の作用効果を得ることができる。また、本発明の第４の態様に係る印刷方法は、本発明の第１の態様に係る印刷装置と同様にして種々の態様にて実現され得る。
本発明の第５の態様は、少なくとも印刷用ロール紙の残量および印刷用ロール紙の紙種の一方を印刷用ロール紙に関連する用紙関連情報として書き換え可能に記憶する記憶装置を備えるロール紙部材を用いた印刷制御プログラムを記録するコンピュータが読み取り可能な記録媒体を提供する。本発明の第５の態様に係るコンピュータが読み取り可能な記録媒体に記録されている前記印刷制御プログラムは、前記記憶装置に記憶されている用紙関連情報を読み取る機能と、前記読み取った用紙関連情報のうち少なくとも印刷用ロール紙の残量および印刷用ロール紙の紙種の一方を利用し、前記印刷用ロール紙の紙送り量を制御して印刷処理を実行する機能とをコンピュータに実行させることを特徴とする。
本発明の第５の態様に係るコンピュータが読み取り可能な記録媒体によれば、本発明の第１の態様に係る印刷装置と同様の作用効果を得ることができる。また、本発明の第５の態様に係るコンピュータが読み取り可能な記録媒体は、本発明の第１の態様に係る印刷装置と同様にして種々の態様にて実現され得る。
本発明の第６の態様は、ロール紙用印刷システムを提供する。本発明の第６の態様に係るロール紙用印刷システムは、印刷用ロール紙と、前記印刷用ロール紙の用紙残量を検出する検出手段とを有するロール紙部材と、
前記検出された用紙残量を反映して印刷処理を実行する印刷制御手段を備える印刷装置とを備えることを特徴とする。
本発明の第６の態様に係るロール紙用印刷システムによれば、印刷用ロール紙の用紙残量に応じた印刷処理を実行することができる。
発明を実施するための最良の形態
以下、本発明に係るロール紙用の印刷システムについて以下の順序にて図面を参照しながら実施例に基づいて説明する。
Ａ．第１の実施例に係るロール紙用印刷システムの構成例
Ｂ．第１の実施例に係るロール紙用印刷システムの動作
Ｃ．第２の実施例に係るロール紙用印刷システムの構成例
Ｄ．第３の実施例に係るロール紙用印刷システムの構成例
Ｅ．ロール紙部材ホルダの他の態様
Ｆ．その他の実施例
Ａ．第１の実施例に係るロール紙用印刷システムの構成例
図１を参照して第１の実施例に係るロール紙用印刷システムの外観構成について説明する。図１は第１の実施例に係るロール紙用印刷システムの外観構成を示す概略図である。
第１の実施例では、ロール紙用印刷システムを構成する印刷装置としてカラープリンタＣＰを適用する。カラープリンタＣＰは、カラー画像の出力が可能なプリンタであり、例えば、シアン（Ｃ）、マゼンタ（Ｍ）、イエロ（Ｙ）、ブラック（Ｋ）の４色の色インクをロール紙を始めとする印刷媒体上に噴射してドットパターンを形成することによって画像を形成するインクジェット方式のプリンタである。色インクには、上記４色に加えて、ライトシアン（薄いシアン、ＬＣ）、ライトマゼンタ（薄いマゼンタ、ＬＭ）、ダークイエロ（暗いイエロ、ＤＹ）を用いても良い。
図１に示すように、カラープリンタＣＰは、背面から給紙された印刷用紙を前面から排出する構造を備えており、プリンタ本体１０の前面には操作パネル１１、排紙部１２が備えられ、背面には給紙部１３が備えられている。操作パネル１１には、各種操作ボタン１１１、表示ランプ１１２が配置されている。排紙部１２は、非使用時には排紙口を塞ぐ排紙トレー１２１を備えている。給紙部１３には、給紙用のカット紙（図示しない）を保持する給紙ホルダ１３１、給紙用のロール紙部材３０を保持するロール紙部材ホルダ２０、２１が備えられている。
ロール紙部材３０は、芯材３１と、芯材３１の外周に巻き付けられた印刷用ロール紙３２と、芯材３１の内周面の周方向の３／４にわたって配置されたＩＣメモリモジュール３３とを備えている。ＩＣメモリモジュール３３は、非接触型であり、無線信号を送受信するメモリ側アンテナ３３１と格納データを任意に書き換え可能な領域と格納データを任意には書き換え不可能な領域とを有するメモリ３３２とを備える薄板状の回路モジュールである。ＩＣメモリ３３２は、例えば、印刷用ロール紙の残量情報、種別情報、製造ロット番号情報、製造年月日情報といった印刷用ロール紙に関する各種情報を格納している。例示したこれら情報の内、印刷用ロール紙の残量情報は所定のタイミングにて書き換え可能な情報であり、任意書き換え可能領域に格納される。その他の情報は、工場出荷時に書き込まれる書き換え不可能な情報であり、任意書き換え不可能領域に格納される。
ロール紙部材ホルダ２０、２１は、プリンタ本体１０の背面の両側に対をなすように配置される。ロール紙部材ホルダの一方、本実施例では、ロール紙部材ホルダ２０には、プリンタ本体１０との電気的接点２０１、および、ロール紙部材３０のＩＣメモリモジュール３３（メモリ側アンテナ３３１）に対してデータの送受信を行うための送受信アンテナ２０２が備えられている。なお、図１では、ロール紙部材ホルダ２０に備えられている接点２０１、送受信アンテナ２０２を示すために、ロール紙部材ホルダ２０、２１は、プリンタ本体１０およびロール紙部材３０から取り外された状態にて示されている。
図２および図３を参照して、ロール紙部材３０のメモリ側アンテナ３３１とロール紙部材ホルダ２０の送受信アンテナ２０２との位置関係について説明する。図２はロール紙部材３０がロール紙部材ホルダ２０、２１によって保持されている状態におけるメモリ側アンテナ３３１と送受信アンテナ２０２との位置関係を示す説明図である。図３は図２をロール紙部材ホルダ２０側から見た側面図である。
本実施例では、ＩＣメモリモジュール３３として非接触式のＩＣメモリモジュールが用いられており、データの送受信に際して接触の必要がないので、図２および図３に示すように、送受信アンテナ２０２は、ロール紙部材ホルダの２０に備えられている円筒状のロール紙保持部２０３の内周面のほぼ全周にわたって周方向に配置されている。また、メモリ側アンテナ３３１は、既述のようにロール紙部材３０の芯材３１の内周面の周方向の３／４にわたって配置されている。非接触型のＩＣメモリモジュール３３は、外部の送受信回路（送受信アンテナ２０２）によって形成される磁界を利用して必要な電力を生成する。本実施例では、ロール紙ホルダ２０の送受信アンテナ２０２は、ロール紙部材３０のメモリ側アンテナ３３１よりも長いので、常にメモリ側アンテナ３３１と最近接の関係にあり、任意のタイミングにて信号の送受信を行うことができる。ＩＣメモリモジュール３３として、送受信可能距離が２ｍｍ程度の密接型のＩＣメモリモジュールが用いられる場合には、両者３３、２０２が最近接するタイミングでデータの送受信が実行される。また、送受信可能距離が２０ｃｍ程度の近接型のＩＣメモリモジュールが用いられる場合には、両者３３、２０２の相対位置とは無関係にデータの送受信が実行される。なお、ＩＣメモリモジュール３３として、接触型のＩＣメモリを用いることができるのはいうまでもない。かかる場合には、ロール紙部材ホルダ２０には、送受信アンテナ２０２に代えて接点が用いられ、ロール紙部材３０が回転して、ロール紙部材ホルダ２０側の接点とＩＣメモリモジュールの接点とが接触する際に、データの送受信が実行される。
図４を参照してカラープリンタＣＰの内部構成について説明する。図４は第１の実施例に係るロール紙用印刷システムの内部構成を示す概略図である。カラープリンタＣＰは、図示するように、キャリッジ４０に搭載された印字ヘッド４０１を駆動してインクの吐出およびドット形成を行う機構と、このキャリッジ４０をキャリッジモータ４１によってプラテン４２の軸方向に往復動させる機構と、紙送りモータ４３によってロール紙部材３０から供給される印刷用ロール紙３２を搬送する機構と、制御回路５０とから構成されている。キャリッジ４０をプラテン４２の軸方向に往復動させる機構は、プラテン４２の軸と並行に架設されたキャリッジ４０を摺動可能に保持する摺動軸４４と、キャリッジモータ４１との間に無端の駆動ベルト４５を張設するプーリ４６等から構成されている。
ロール紙部材３０から供給される印刷用ロール紙３２を搬送する機構は、プラテン４２と、プラテン４２を回転させる紙送りモータ４３と、図示しない給紙補助ローラと、紙送りモータ４３の回転をプラテン４２、プラテン４２の回転角度を検出するエンコーダ４７および給紙補助ローラに伝えるギヤ機構４８とから構成されている。ロール紙部材ホルダ２０のロール紙保持部２０３に配置されている送受信アンテナ２０２は、ロール紙部材ホルダ２０の基部に配置されている接点２０１と有線接続されている。接点２０１に対しては、プリンタ本体側１０の接点１０１が対向配置されている。
制御回路５０は、プリンタの操作パネル１１と信号をやり取りしつつ、紙送りモータ４３やキャリッジモータ４１、印字ヘッド４０１の動きを適切に制御する。カラープリンタＣＰのロール紙部材ホルダ２０、２１に保持されたロール紙部材３０の印刷用ロール紙３２は、プラテン４２と給紙補助ローラの間に挟み込まれるようにセットされ、プラテン４２の回転角度に応じて所定量だけ送られる。
キャリッジ４０にはインクカートリッジＩＮＣ１とインクカートリッジＩＮＣ２とが装着される。各インクカートリッジＩＮＣ１、ＩＮＣ２には、インク残量等を記憶する記憶素子ＭＥが備えられている。インクカートリッジＩＮＣ１には黒（Ｋ）インクが収容され、インクカートリッジＩＮＣ２には他のインク、すなわち、シアン（Ｃ），マゼンタ（Ｍ），イエロ（Ｙ）の３色インクが収納されている。ライトシアン（ＬＣ），ライトマゼンタ（ＬＭ），ダークイエロ（ＤＹ）のインクも収納可能であることは既述の通りである。
次に図５を参照してカラープリンタＣＰの制御回路５０の内部構成について説明する。図５は第１の実施例に係るロール紙用印刷システムの制御回路の内部構成を示すブロック図である。図示するように、制御回路５０の内部には、ＣＰＵ５１，ＰＲＯＭ５２，ＲＡＭ５３，周辺機器入出力部（ＰＩＯ）５４，タイマ５５，駆動バッファ５６等が設けられている。ＰＩＯ５４には、パーソナルコンピュータＰＣ、インクカートリッジの記憶素子ＭＥとの接点ＭＥＣ、キャリッジモータ４１、紙送りモータ４３、エンコーダ４７、および接点１０１および２０１を介して送受信アンテナ２０２が接続されている。駆動バッファ５６は、インク吐出用ヘッドＩＨ１ないしＩＨ４にドット形成のオン・オフ信号を供給するバッファとして使用される。これらは互いにバス５７で接続され、相互にデータにやり取りが可能となっている。また、制御回路５０には、所定周波数で駆動波形を出力する発振器５８、および発振器５８からの出力をインク吐出用ヘッドＩＨ１ないしＩＨ４に所定のタイミングで分配する分配出力器５９も設けられている。
制御回路５０は、例えば、電源投入時、ロール紙部材３０の交換時、電源遮断時のタイミングにて送受信アンテナ２０２を介して、ロール紙部材３０の芯材３１に配置されているメモリ３３２に対してアクセスする。制御回路５０は、メモリ３３２から取得した情報を反映して、印刷処理を制御する。制御回路５０は、紙送りモータ４３やキャリッジモータ４２の動きと同期を採りながら、所定のタイミングでドットデータを駆動バッファ５６に出力する。ＩＣメモリモジュール３３（メモリ３３２）に対するアクセス処理、並びにＩＣメモリモジュール３３（メモリ３３２）から取得した情報を利用した印刷処理の詳細については、以下に説明する。
Ｂ．第１の実施例に係るロール紙用印刷システムの動作
図６および図７を参照して、第１の実施例に係るロール紙印刷システムの動作についてカラープリンタＣＰを用いて説明する。図６は印刷時にカラープリンタＣＰにおいて実行される、制御回路５０とＩＣメモリモジュール３３との間において実行されるデータ送受信を含む、印刷処理を示すフローチャートである。図７はＩＣメモリモジュール３３から取得した印刷用紙残量を反映して実行されるバックテンション制御処理を示すフローチャートである。
制御回路５０は、電源オン要求が発生したか否かを判定する（ステップＳ１００）。すなわち、カラープリンタＣＰの作動開始時であるか否かを判定する。制御回路５０は、電源オン要求が発生していないと判定した場合には、カラープリンタＣＰは作動中であると判断し、ロール紙部材３０の交換要求が発生したか否かを判定する（ステップＳ１１０）。ロール紙部材３０の交換要求は、例えば、操作パネル１１上のロール紙交換ボタン１１１が押し下げられた場合に、発生する。
制御回路５０は、ロール紙部材３０の交換要求が発生したと判定した場合には（ステップＳ１１０：Ｙｅｓ）、送受信アンテナ２０２、メモリ側アンテナ３３１を介してロール紙部材３０の芯材３１に備えられているメモリ３３２にアクセスし、用紙関連情報の読み出しを実行する（ステップＳ１２０）。制御回路５０は、電源オン要求が発生したと判定した場合にも（ステップＳ１００：Ｙｅｓ）、メモリ３３２から用紙関連情報を読み出しを実行する（ステップＳ１２０）。
制御回路５０は、メモリ３３２から用紙関連情報を読み出すことができる場合には（ステップＳ１３０：Ｙｅｓ）、読み出した用紙関連情報をＲＡＭ５３に一旦、格納する（ステップＳ１４０）。制御回路５０は、格納した用紙関連情報の中から用紙残量情報を取得し、印刷データ量が用紙残量よりも多いか否かを判定する（ステップＳ１５０）。すなわち、要求されている印刷データ量の印刷に必要な用紙量と用紙残量とを比較する。
制御回路５０は、用紙残量が印刷データ量以上であると判定した場合には（ステップＳ１５０：Ｎｏ）、印刷処理を実行する（ステップＳ１６０）。印刷処理は、既述あるいは公知の処理によって実行される。ここでは、印刷処理に際して実行される紙送りモータ４３の制御について図７を参照して説明する。
制御回路５０は、ＲＡＭ５３から用紙残量情報を取得し（ステップＳ２００）、取得した用紙残量情報に基づいて紙送り量、すなわち、紙送りモータ４３に供給する駆動電流を決定する（ステップＳ２１０）。例えば、ロール紙部材３０（印刷用ロール紙３２）の残量が多い場合には、ロール紙部材３０を巻き戻す力、すなわち、バックテンションが大きいので、要求される紙送り量よりも多い紙送りを実行する。駆動電流の決定に際しては、用紙残量から駆動電流を決定する参照テーブルを備えていても良く、あるいは、用紙残量と駆動電流との関数を用いて、用紙残量から駆動電流を算出しても良い。また、用紙残量情報に代えて、あるいは、用紙残量情報と共に、紙種に関する情報を読み取り、滑りやすい紙種の場合には、更に、紙送り量を増大させても良い。
制御回路５０は、紙送りモータ４３に対して駆動電流を送り、決定した紙送り量に相当する回転角度だけ紙送りモータ４３を回転させる（ステップＳ２２０）。制御回路５０は、エンコーダ４７から実際の回転角度を取得し（ステップＳ２３０）、取得した紙送り量に基づいて用紙残量情報を生成して（ステップＳ２４０）、ＲＡＭ５３に格納して図６のフローチャートにリターンする。
図６に戻り、説明を続ける。制御回路５０は、印刷の終了を待機し（ステップＳ１７０：Ｎｏ）、印刷の終了を判定すると（ステップＳ１７０：Ｙｅｓ）、ＲＡＭ５３から用紙残量情報を取得する（ステップＳ１８０）。制御回路５０は、送受信アンテナ２０２、メモリ側アンテナ３３１を介してロール紙部材３０のＩＣメモリモジュール３３にアクセスして、用紙残量情報をメモリ３３２に書き込み（ステップＳ１９０）、本処理ルーチンを終了する。
なお、制御回路５０は、ステップＳ１１０にて、ロール紙部材３０の交換要求が発生していないと判定した場合には（ステップＳ１１０：Ｎｏ）、更新された用紙残量情報をメモリ３３２から読み出し（ステップＳ１９２）、ステップＳ１５０の処理を実行する。また、制御回路５０は、ステップＳ１３０にて、メモリ３３２から用紙関連情報を読み出すことができないと判定した場合には（ステップＳ１３０：Ｎｏ）、コンピュータＰＣの表示ディスプレイ上に表示されるグラフィカルユーザインターフェース（ＧＵＩ）、あるいは、操作パネル１１上の表示ランプ１１２等を介して読み出し異常の発生を報知して（ステップＳ１９４）、本処理ルーチンを終了する。
さらに、制御回路５０は、ステップＳ１５０にて、要求されている印刷データ量が用紙残量よりも多い場合には（ステップＳ１５０：Ｙｅｓ）、印刷を正しく完了できない旨をＧＵＩ、あるいは、操作パネル１１上の表示ランプ１１２等を介して報知し（ステップＳ１９６）、本処理ルーチンを終了する。
以上説明したように、第１の実施例に係るロール紙用印刷システムによれば、ロール紙部材３０に用紙関連情報を格納するＩＣメモリモジュール３３を備えるので、印刷に際して、用紙関連情報を反映した印刷処理を実行することができる。用紙関連情報として、用紙残量情報を利用する場合には、用紙残量に応じて紙送りモータ４３を制御し、印刷用ロール紙３２の紙送り量を調整することで、バックテンションが発生しても要求される紙送り量を実行することができる。また、印刷処理に先立って、要求されている印刷データ量と用紙残量とを比較し、印刷データ量が用紙残量よりも多い場合には、印刷処理を中断することによって、印刷途中における紙切れを防止することができる。
また、ロール紙部材３０に用紙関連情報が格納されているので、一本のロール紙を複数のカラープリンタＣＰにて共同使用することができると共に、ロール紙の用紙残量を管理するための他の装置を必要としない利点を有する。さらに、ロール紙部材３０単位にて用紙関連情報を管理するので、用紙関連情報を一元管理する場合と比較して、必要なメモリリソースを低減することができ、ロール紙用印刷システムのコストを低減することができる。
また、ＩＣメモリモジュール３３は、書き換え可能であるから、使用済みの芯材３１を回収して、再度、印刷用ロール紙３２を巻き付け、印刷用ロール紙の残量情報、種別情報、製造ロット番号情報、製造年月日情報といった印刷用ロール紙に関する各種情報を書き換えることができる。したがって、芯材３１を有効にリサイクル利用することができる。
Ｃ．第２の実施例に係るロール紙用印刷システムの構成例：
図８を参照して、第２の実施例に係るロール紙用印刷システムの構成例について説明する。図８は第２の態様に係るロール紙用印刷システムの外観構成を示す説明図である。なお、第２の態様に係るロール紙用印刷システムの構成要素の内、第１の実施例に係るロール紙用印刷システムの構成要素と同様の構成要素については、同一の符合を付してその説明を省略する。
第２の態様に係るロール紙用印刷システムでは、印刷装置としてカラープリンタＰＣ２を用いる。カラープリンタＰＣ２では、ロール紙部材３０は、ロール紙支持軸２００、およびロール紙支持軸２００を回動可能に保持するロール紙部材ホルダ２０１とによって、プリンタ本体１０に対して保持される。
ロール紙部材３０の芯材３２には、接触型のメモリ素子３５が備えられており、ロール紙支持軸２００にもメモリ素子３５に対する接点２０５が備えられている。メモリ素子３５としては、例えば、ＥＥＰＲＯＭが用いられ得る。ロール紙支持軸２００の軸内には、さらに、送受信回路２１０および図示しない電源が内包されており、送受信回路２１０は、メモリ素子３５に対して用紙関連情報の読み出し・書き込みを実行すると共に、読み出した用紙関連情報をプリンタ本体１０に送信し、プリンタ本体１０から書き込み情報を受信する。プリンタ本体１０には、ロール紙支持軸２３内の送受信回路２１０との間で無線信号を送受信する送受信回路１２０が備えられている。
本実施例では、送受信回路２１０は、ロール紙部材３０が回転して、ロール紙部材３０のメモリ素子３５とロール紙支持軸２００の接点２０５とが接触する都度、メモリ素子３５に対する読み出し、書き込みを実行する。送受信回路２１０は、プリンタ本体１０の送受信回路１２０からの要求に応じて、メモリ素子３５から読み出した用紙関連情報をプリンタ本体１０に送信し、あるいは、プリンタ本体１０から書き込むべき用紙関連情報を受信する。
第２の実施例に係るロール紙用印刷システムによれば、第１の実施例に係るロール紙用印刷システムと同様の効果を得ることができる。
Ｄ．第３の実施例に係るロール紙用印刷システムの構成例：
図９および図１０を参照して、第３の実施例に係るロール紙用印刷システムの構成例について説明する。図９は第３の態様に係るロール紙用印刷システムの概略構成を示す説明図である。図１０は第３の実施例に係るロール紙用印刷システムに用いられるロール紙部材の側面図である。なお、第３の態様に係るロール紙用印刷システムの構成要素の内、第１の実施例に係るロール紙用印刷システムの構成要素と同様の構成要素については、同一の符合を付してその説明を省略する。
上記第１及び第２の実施例では、芯材３１の外周に印刷用ロール紙３２が巻き付けられているロール紙部材３０が用いられたが、第３の実施例では、図９および図１０に示すように、芯材３１を有しない印刷用ロール紙３２１をケース３６の内部に収容するロール紙部材３００を用いる。かかる構成を備える場合には、印刷用ロール紙３２１は、ケース３６の内壁によって支持され、ＩＣメモリモジュール３３および記憶素子３５といった記憶装置は、ケース３６に備えられている。
印刷用ロール紙３２１は、ケース３６の内壁によって支持されているので、印刷用ロール紙３２１を給紙する際に、プラテン４２に対して印刷用ロール紙３２１が斜交して給紙されがたいという利点を有する。また、印刷用ロール紙３２１がなくなった場合には、ケース３６ごと交換される。
第３の実施例に係るロール紙用印刷システムによれば、上述の利点に加えて、第１の実施例に係るロール紙用印刷システムと同様の効果を得ることができる。
Ｅ．ロール紙部材ホルダ２０、２１の他の態様：
図１１および図１２を参照してロール紙部材ホルダ２０，２１の他の態様について説明する。図１１はロール紙部材ホルダ２０、２１の他の態様の一例を示す説明図である。図１２はロール紙部材ホルダ２０，２１の他の態様の一例を示す説明図である。なお、以下に説明する構成は、ロール紙部材ホルダ２０、２１のいずれか一方が備えていればよいので、以下の説明ではロール紙部材ホルダ２０を例にとって説明する。
図１１の例では、ロール紙部材ホルダ２０は、ロール紙部材３０に装着されてロール紙部材３０と共に回動する回転体２５と回転体２５を回動自在に保持する支持体２６とを備えている。図１１には回転体２５の正面図および側面図、支持体２６の正面図及び側面図が表されている。回転体２５の端部のうち、ロール紙部材３０の中空部に装着される装着端２５１は、例えば、矩形柱形状を有し、支持体２６によって支持される支持端２５２は円柱形状を有している。装着端２５１にはロール紙部材３０に装着されているメモリ（図示しない）と電気的接続を形成するための接続部２５３が備えられ、支持端２５２の外周にはメモリ側アンテナ３３１が周方向に沿って配置されている。ロール紙部材３０に装着されているメモリとメモリ側アンテナ３３１とによってＩＣメモリモジュールが構成される。
支持体２６は蓋体によって一側が塞がれている円筒形状を有し、円筒部の内側には、送受信アンテナ２０２がほぼ全周にわたり周方向に沿って配置されている。
図１２の例では、回転体２５の端部のうち、ロール紙部材３０の中空部に装着される装着端２５１は、例えば、矩形柱形状を有し、支持体２６によって支持される支持端２５２は円筒形状を有している。図１２にも回転体２５の正面図および側面図、支持体２６の正面図及び側面図が表されている。装着端２５１にはロール紙部材３０に装着されているメモリ（図示しない）と電気的接続を形成するための接続部２５３が備えられ、支持端２５２の内周にはメモリ側アンテナ３３１が周方向に沿って配置されている。ロール紙部材３０に装着されているメモリとメモリ側アンテナ３３１とによってＩＣメモリモジュールが構成される。
支持体２６は、円筒形状または円柱形状を有し、円筒部または円柱部の外側には、送受信アンテナ２０２がほぼ全周にわたり周方向に沿って配置されている。
以上の両態様によれば、ロール紙部材３０の芯材３１の中空部の形状に依存することなく、ロール紙部材３０をロール紙部材ホルダ２０に収容して印刷処理を実行することができる。また、ロール紙部材３０にはメモリを備えれば良く、メモリ側アンテナ３３１を備える必要がないので、ロール紙部材３０のコストを抑制することができると共に、送受信アンテナ２０２との位置関係を考慮することなくメモリの配置位置を自由に決定することができる。
この他にも、メモリ側アンテナ３３１を、回転体２５における、支持体２６と対向する位置（面）に配置し、メモリ側アンテナ３３１の配置面積よりも広い配置面積を有する送受信アンテナ２０２を支持体２６における、回転体２５との対向面に配置しても良い。かかる場合にも同様の効果を得ることができる。
Ｆ．その他の実施例：
用紙関連情報を反映した印刷処理としては、上記の印刷処理の他に、次のような印刷処理も含まれる。
（１）用紙関連情報の内、紙種情報、ロール紙寸法情報を利用し、コンピュータＰＣの表示ディスプレイに表示されるＧＵＩにて設定された紙種、印刷用紙寸法が、取得した紙種情報、ロール紙寸法情報と相違する場合には、ＧＵＩ上における設定が不適当である旨をＧＵＩを介して報知することができる。
（２）用紙関連情報を読み出し、セットされたロール紙部材３０に最適な印刷設定を自動的に設定しても良い。かかる場合には、コンピュータＰＣの表示ディスプレイ上のＧＵＩを介した印刷条件の設定を経ることなく、セットされたロール紙部材３０に対して最適な印刷条件にて印刷処理を実行することができる。
（３）用紙関連情報の内、製造年月日を読み取り、使用保証期限内であるか否かを判定しても良い。かかる場合には、ロール紙部材３０の経年変化による印刷品質の低下を事前にユーザに対して報知することができる。ユーザは、このように報知されたロール紙部材３０を、例えば、試し打ち等に用いることができる。
（４）用紙関連情報の内、紙の厚さを利用し、プラテンギャップを自動調整しても良い。かかる場合には、ロール紙部材３０毎に適切なプラテンギャップを設定することが可能となり、適切な紙送りを実現することができる。
（５）用紙関連情報として、ロール紙の耐環境性情報を格納しておき、また、プリンタ本体１０に湿度、温度センサを備え、計測された温度および湿度からセットされたロール紙にとって適切な印刷結果を保証できる印刷環境下にない場合には、ユーザに報知しても良い。
（６）用紙関連情報として、製造ロット番号を利用して、各ロット毎に現れるロール紙の特性を反映した色補正を実行しても良い。ロール紙の特性（紙種）は、製造ロット毎に大きく異なることがあり、かかる場合に、予め使用するロール紙の特性を考慮した上で色補正を実行することによって、製造ロット毎の印刷結果のばらつきを低減することができる。
（７）用紙関連情報として、給紙シーケンスを格納しておき、各ロール紙毎に格納されている給紙シーケンスに基づいた紙送り制御を実行しても良い。かかる場合には、ロール紙の紙種等を考慮した紙送り制御が可能となり、より適切な印刷結果を得ることができる。
以上、いくつかの実施例に基づき本発明に係るロール紙用印刷システムを説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
例えば、第１および第２の実施例では、カット紙とロール紙部材３０の双方を用いることができるカラープリンタＣＰ、ＣＰ２を適用して本発明に係るロール紙用印刷システムを説明したが、本発明に係るロール紙用印刷システムは、ロール紙専用のプリンタに対して適用できることは言うまでもない。
第２の実施例では、ロール紙支持軸２３内に送受信回路２１０を備えて、プリンタ本体１０と用紙関連情報の送受信を実行しているが、プリンタ本体１０にのみ送受信回路１２０を備え、ロール紙部材３０に非接触型のＩＣメモリモジュール３３を備え、プリンタ本体１０からＩＣメモリモジュール３３に対して直接アクセスするようにしても良い。かかる場合には、ロール紙部材３０に備えられているメモリに対する用紙関連情報の読み出し、書き込みに必要な付加構成を最低限度の付加構成に押さえることができ、コストを削減することができる。
上記実施例では、パーソナルコンピュータＰＣを介してカラープリンタＣＰ、ＣＰ２における印刷条件を設定しているが、カラープリンタＣＰ、ＣＰ２だけで印刷条件の設定を実行するようにしても良い。また、ＩＣメモリモジュール３３または記憶素子３５に、用紙関連情報を利用するためのアプリケーション（ドライバ）を格納しておき、ロール紙部材３０が初めて使用される際に、パーソナルコンピュータＰＣ側またはカラープリンタＣＰ、ＣＰ２側にインストールされるようにしても良い。かかる場合には、パーソナルコンピュータＰＣが等に、予め必要なアプリケーションがインストールされているか否かに関わらず、ＩＣメモリモジュール３３または記憶素子３５に格納されている用紙関連情報を反映した印刷処理を実行することができる。
上記各実施例では、印刷装置としてカラープリンタＣＰ、ＣＰ２を用いたが、ロール紙に対して印刷処理できる印刷装置であれば、これに限られることなく、例えば、モノクロプリンタ、レーザプリンタ、ファクシミリ等に適用しても良い。
上記実施例では、エンコーダ４７により検出される紙送りモータ４３（プラテン４２）の回転角度に基づいて、紙送り量が求められているが、ロール紙部材３０の印刷用ロール紙３２の裏面縁部に単位長さ（例えば、１ｍｍ）毎に検出線を印刷しておき、光学式の読み取りセンサによって検出線の通過本数を検出し、検出した通過本数に基づいて紙送り量を算出するようにしても良い。
上記実施例では、エンコーダ４７により検出される紙送りモータ４３（プラテン４２）の回転角度に基づいて、紙送り量が求められているが、パーソナルコンピュータＰＣ側からカラープリンタＣＰ、ＣＰ２に対して送出される紙送り量信号に基づいて、紙送り量を算出しても良い。
上記各実施例では、用紙残量をＩＣメモリモジュール３３または記憶素子３５に格納しているが、用紙残量に代えて、用紙使用量を格納するようにしても良い。かかる場合にも、用紙残量を用いた場合と同様の作用効果を得ることができる。
上記各実施例では、用紙関連情報をＩＣメモリモジュール３３等に記憶する場合について説明したが、例えば、ケース３６に重量センサＷＳを備えておき、重量センサＷＳによって検出される重量に基づいて、印刷用ロール紙３２１の残量（使用量）を検出しても良い。あるいは、ケース３６の側壁に、印刷用ロール紙３２１の高さ（厚さ）をリニアに検出する位置センサＰＳを備えておき、位置センサＰＳによって検出された印刷用ロール紙３２１の高さに基づいて、印刷用ロール紙３２１の残量（使用量）を検出しても良い。重量センサ、位置センサは、公知の各センサを利用して実現される。
ロール紙部材３０の芯材３１がロール紙部材３０の端面を覆うフランジ部を有する場合には、メモリ側アンテナ３３１を芯材３１のフランジ部に配置しても良い。
【図面の簡単な説明】
図１は、第１の実施例に係るロール紙用印刷システムの外観構成を示す概略図である。
図２は、ロール紙部材３０がロール紙部材ホルダ２０、２１によって保持されている状態におけるＩＣメモリモジュール３３と送受信アンテナ２０２との位置関係を示す説明図である。
図３は、図２をロール紙部材ホルダ２０側から見た側面図である。
図４は、第１の実施例に係るロール紙用印刷システムの内部構成を示す概略図である。
図５は、第１の実施例に係るロール紙用印刷システムの制御回路の内部構成を示すブロック図である。
図６は、印刷時にカラープリンタＣＰにおいて実行される、制御回路５０とＩＣメモリモジュール３３との間において実行されるデータ送受信を含む、印刷処理を示すフローチャートである。
図７は、ＩＣメモリモジュール３３から取得した印刷用紙残量を反映して実行されるバックテンション制御処理を示すフローチャートである。
図８は、第２の態様に係るロール紙用印刷システムの外観構成を示す説明図である。
図９は、第３の実施例に係るロール紙用印刷システムの概略構成を示す概略図である。
図１０は、第３の実施例に係るロール紙用印刷システムに用いられるロール紙部材の側面図である。
図１１は、ロール紙部材ホルダ２０、２１の他の態様の一例を示す説明図である。
図１２は、ロール紙部材ホルダ２０，２１の他の態様の一例を示す説明図である。
【図１】
0004148459.tif 000002
【図２】
0004148459.tif 000003
【図３】
0004148459.tif 000004
【図４】
0004148459.tif 000005
【図５】
0004148459.tif 000006
【図６】
0004148459.tif 000007
【図７】
0004148459.tif 000008
【図８】
0004148459.tif 000009
【図９】
0004148459.tif 000010
【図１０】
0004148459.tif 000011
【図１１】
0004148459.tif 000012
【図１２】
0004148459.tif 000013